(57)【要約】治療デバイスの適用表面で様々な強度及び角度配向の多数の磁力線３２を提供するためのシステムは複数のアーム２０と複数の磁石３０と含む。各アーム部は、一つ以上の接続部材と一つ以上の磁石収容ソケット又は凹部２２を有する。た一つ以上の接続部材２８の少なくともいくつかは、他のアーム上の一つ以上の取り付け又は接合機構２９に取り付けるようにおおむね形状づけられる。磁石３０は、ソケット２２に配置され、複数のアームの接続部材２８は、アームがハブアンドスポーク配置、鎖配置、ループ、束、あるいは上述の組み合わせを形成するように接続される。【選択図】図１
2014528815.tif 000002
【特許請求の範囲】
【請求項１】
治療デバイスの適用表面で、様々な強度及び角度配向の多数の磁力線を提供するためのシステムであって、
複数の磁石と、
互いにあらかじめ決められた間隔で複数の磁石を離間配置するための複数の堅いアームと、を備え、
前記アーム部は、
第１の端部分と、
第１の端部分と反対側にある第２の端部分と、
第１の端部分及び第２の端部分を互いにあらかじめ決められた間隔で離間配置するための第１の端部分と第２の端部分との間の中間部分であって、各個々の磁石間に使用者に支持を提供するように曲げられた中間部分と、
隣接するアーム片の同様な又は接合する取り付け機構に取り付けるように形状付けられた一つ以上の接続部材と、
アームの第１の端部分及び第２の端部分上に配置された一つ以上の磁石収容凹部と、を有し、
各収容凹部は、少なくとも一つの磁石保持表面と、少なくとも一つの磁石配向部材とを有し、
磁石配向部材は、磁石保持表面と結合されて使用されるときに磁石配向部材が予め決められた角度配向に磁石を適切に向けるように、凹部の内部上の平らな表面を備え、
複数の磁石は、互いに関連して保持され、複数のアームによって互いから予め決められた間隔で離間配置され、そして、配向部材によって予め決められた配向に保持された保持表面によって磁石収容凹部に保持され、それによって、治療デバイスの適用表面で、様々な強度及び角度配向の多数の磁力線を提供する、システム。
【請求項２】
請求項１記載のシステムにおいて、
一つ以上の取り付け部材は、アームの中間部分に配置され、二つ以上のアームを互いに接続することによって雪片のようなパターンを生じる、システム。
【請求項３】
治療デバイスの適用表面で、様々な強度及び角度配向の多数の磁力線を提供するためのシステムであって、
複数の磁石と、
互いにあらかじめ決められた間隔で複数の磁石を離間配置するための複数のアームと、を備え、
前記アーム部は、
第１の端部分と、
第１の端部分と反対側にある第２の端部分と、
第１の端部分及び第２の端部分を互いにあらかじめ決められた間隔で離間配置するための第１の端部分と第２の端部分との間の中間部分と、
隣接するアーム片の同様な又は接合する取り付け機構に取り付けるように形状付けられた一つ以上の接続部材と、
一つ以上の磁石収容凹部と、を有し、
各収容凹部は、少なくとも一つの磁石保持表面と、少なくとも一つの磁石配向部材とを有し、
複数の磁石は、互いに関連して保持され、複数のアームによって互いから予め決められた間隔で離間配置され、そして、配向部材によって予め決められた配向に保持された保持表面によって磁石収容凹部に保持され、それによって、治療デバイスの適用表面で、様々な強度及び角度配向の多数の磁力線を提供する、システム。
【請求項４】
請求項１記載のシステムにおいて、
一つ以上の取り付け部材は、アームの中間部分に配置され、二つ以上のアームを互いに接続することによって雪片のようなパターンを生じる、システム。
【請求項５】
請求項１記載のシステムにおいて、
一つ以上の取り付け部材は、アームの第１の端部分及び第２の端部分に配置され、二つ以上のアームを端と端で互いに接続することによって鎖のようなパターンを生じる、システム。
【請求項６】
請求項１記載のシステムにおいて、
アームは、堅い、システム。
【請求項７】
請求項１記載のシステムにおいて、
少なくともいくつかのアームは、使用されるときに曲げることができるように可撓性があり、それによって、適用表面を曲げて、隣接する磁石からの磁力線によって互いに関して及び時間に関して配向を変える、システム。
【請求項８】
請求項１記載のシステムにおいて、
少なくともいくつかのアームの中間部分は、曲げられ、治療デバイスは、その磁石と中間部分の結合で適用表面に平らな表面をより接近させる、システム。
【請求項９】
請求項１記載のシステムにおいて、
一つ以上の磁石収容凹部の少なくともいくつかは、アームの第１の端部分及び第２の端部分上に配置される、システム。
【請求項１１】
請求項１記載のシステムにおいて、
一つ以上の磁石収容凹部の少なくともいくつかは、アームの中間部分上に配置される、システム。
【請求項１２】
請求項１記載のシステムにおいて、
配向部材は、磁石収容凹部の内面上の平らな表面である、システム。
【請求項１３】
請求項１記載のシステムにおいて、
配向部材は、磁石を適当に向けるために保持表面と組み合わされて使用されるキー構造である、システム。
【請求項１４】
その適用表面で、様々な強度及び角度配向の多数の磁力線を有する治療デバイスを製造するための方法であって、
磁石が互いにあらかじめ決められた間隔で離間配置されるように複数のアームに形成された複数の磁石収容凹部に複数の磁石を挿入する工程と、
磁石収容凹部と関連した配向部材を使用して磁石収容凹部内の各磁石を配向する工程と、
磁石収容凹部に関して固定された予め決められた角度配向で磁石収容凹部に磁石を保持する工程と、
磁石のパターンを形成するために複数のアームを互いに接続する工程と、を備え、
それによって、様々な強度及び角度配向の多数の磁力線を治療デバイスの適用表面で提供する、方法。
【請求項１５】
請求項１４記載の方法において、
各アーム片の中間部分でアームを互いに接続することによってアームの雪片のようなパターンを生じる工程を更に備える、方法。
【請求項１６】
請求項１４記載の方法において、
アームを端と端で互いに接続することによってアームの鎖のようなパターンを生じる工程を更に備える、方法。
【請求項１７】
請求項１４記載の方法において、
アームは、堅い、方法。
【請求項１８】
請求項１４記載の方法において、
少なくともいくつかのアームは、使用されるときに曲げることができるように可撓性があり、それによって、適用表面を曲げて、隣接する磁石からの磁力線によって互いに関して及び時間に関して配向を変える、方法。
【請求項１９】
請求項１４記載の方法において、
アームの中間部分の少なくともいくつかを曲がった形状に形成することによって、治療デバイスの適用表面において表面を伸ばす工程を更に備える、方法。
【請求項２０】
請求項１４記載の方法において、
配向部材は、磁石収容凹部の内面上の平らな表面である、方法。
【請求項２１】
請求項１４記載の方法において、
配向部材は、磁石を適当に向けるために保持表面と組み合わされて使用されるキー構造である、方法。
【発明の詳細な説明】
【技術分野】
【０００１】
本発明は、磁気治療デバイスの分野に関し、特に、適用表面で多数の磁力線を生じる消費者の磁気治療の分野に関する。
【背景技術】
【０００２】
適用表面で多数の磁力線を生じる多くの磁気治療デバイスがある。しかしながら、たいていのものは、製造プロセスのコストを伴い、結果として生じる磁気配置において比較的厳密である製造プロセスを生じる。
【発明の概要】
【課題を解決するための手段】
【０００３】
本発明の一実施形態は、治療デバイスの適用表面で様々な角度及び強度の多数の磁力線を提供するためのシステムであって、複数のアーム及び複数の磁石を含むシステムを備える。各アーム部分は、一つ以上の取り付け機構又は接続部材と、一つ以上の磁石収容ソケットとを有する。一つ以上の接続部材の少なくともいくつかは、他のアーム上の一つ以上の取り付け又は接合機構に取り付けるように構成されている。磁石はソケットに配置され、そして、複数のアームの接続部材は、アームがハブアンドスポーク配置、鎖配置、ループ、束、あるいは上述の組み合わせを形成するように接続される。
【０００４】
いくつかの実施形態では、ソケットは、一つ以上の磁石保持面および一つ以上の磁性配向部材を有する。次に、磁石は、ソケットに配置され、保持面によって適所に保持される。磁石の少なくともいくつかは、ソケットの配向部材によって、所定のあらかじめ決められた配向に保持される。
【図面の簡単な説明】
【０００５】
【図１】図１は、一方のアームの周りの四角形を有する本発明の一実施形態で保持する、互いに接続されると共に合計５つの磁石を保持する、二つのアームの斜視図である。
【図２】図２は、図１において強調された一方のアームの側面図である。
【図３】図３は、他方のアームの周りの四角形を有する図１の治療デバイスの斜視図である。
【図４】図４は、図３において強調された一方のアームの側面図である。
【図５】図５は、本発明で保持する別の二つのアームの実施形態の上面図である。
【図６】図６は、図５に示された治療デバイスの一方のアームの側面図である。
【図７Ａ】図７Ａは、本発明の一実施形態で保持する、その磁北が紙面に対して垂直に配向された磁石の上面図である。
【図７Ｂ】図７Ｂは、その磁北が観覧者の方に図７Ａの垂線からおよそ４５Ｅずれて配向された磁石の上面図である。
【図７Ｃ】図７Ｃは、その磁北が図７Ａの垂線の右側におよそ４５Ｅで配向された磁石の上面図である。
【図７Ｄ】図７Ｄは、その磁北が観覧者から離れる方に図７Ａの垂線からおよそ４５Ｅずれて配向された磁石の上面図である。
【図７Ｅ】図７Ｅは、その磁北が図７Ａの垂線の左側におよそ４５Ｅで配向された磁石の上面図である。
【図８】図８は、本発明の一実施形態で保持する、合計７つの磁石を保持する雪片配置で互いに接続された３つのアームの上面図である。
【図９】図９は、本発明の一実施形態で保持する、合計６つの磁石を保持する三角形配置で互いに接続された３つのアームの上面図である。
【図１０】図１０は、本発明の一実施形態で保持する、合計９つの磁石を保持する四角形又はダイヤモンドの格子配置で互いに接続された６つのアームの上面図である。
【発明を実施するための形態】
【０００６】
添付図面と関連していかに述べられた詳細な説明は、本発明の現在好ましい実施形態の説明として示され、本発明が構成され及び／又は利用される形態だけを表すものではない。説明は、図示の実施形態と関連して発明を構成及び動作するための機能及びステップの順序を説明する。しかしながら、本発明の精神及び範囲内に囲まれる様々な実施形態によって同じ又は同等の機能及び順序が達成されることを理解されるべきである。
【０００７】
図１乃至図６に示されるように、本発明の一実施形態は、二つ以上の磁石を配置して配向するためのスポーク配置を備える。各スポーク又はアーム２０は、一つ以上の磁石収容ソケット又はゾーン２２を備え、各収容ゾーン２２は、予め決められた配向で磁石３０を保持する。アーム又はスポーク２０は、磁石３０を追加する前にあらゆる数の共通のプラスチック材料から成形又は射出成形することができる。
【０００８】
組立プロセス中、各磁石３０は、その収容オリフィス２２の中に挿入されて適切に保持される。各スポーク又はアーム２０は、アーム２０を互いに接続するための一つ以上の接続部材２８及び２９を備える。取り付け又は接続機構又は部材２８は、アーム２０の中間部分の底部又はアームの底部又はアーム２０の両端部の底部上にあることができ、あるいは、それらは図６に示されるようにアーム２０の両方の部分上にあることができる。その結果、アーム２０は、図５及び図８に示されたハブアンドスポーク配置、又は、図９及び図１０に示された鎖リンク配置を形成するように接続することができる。結果として生じるアッセンブリは、あらゆるサイズ又は形状にすることができると共に無数の配向であらゆる数の磁石を組み込むことができる磁気治療デバイスを製造する。
【０００９】
図６に示された取り付け部材２８は、図６において切欠きとして示された取り付け部材２９と接合するように設計された隆起部である。しかしながら、取り付け部材は、接合縁特徴、穴及び柱配置、ベアリング又はピボットボール又はバーが互いに配置される凹部又は穴を両方のアームが有する二つの穴配置、あるいは、二つのアーム２０が互いに交差する二つの隣接するアーム２０上の二つの平らな又は接合する面間に押し込まれた単純な接着剤、を含むがこれに限定されないあらゆる数の他のそのような取り付け配置にすることができる。取り付け特徴部は、固定的に取り付けられることができ、あるいは、使用中又は使用の間のときにより大きな構造が付加的な可撓性を保持するように回転可能に又は取り外し可能に取り付けられることができる。
【００１０】
各ソケット又は凹部２２は、磁石をソケット２２の中に保持するための保持表面又は特徴部２４を備える。図１において、保持表面２４は、ソケット２２の上部縁部又はリップであるが、代替的に又は付加的に、フランジ、隆起部、内方に向いた塊又は指部などを備えることができる。このような実施形態における保持表面２４の一つの目的は、組立中磁石３０がひとたび収容凹部又はゾーン２２に配置されると、磁石３０を、収容凹部又はゾーン２２内に又は少なくとも部分的に収容凹部又はゾーン２２内に保持することである。
【００１１】
付加的に、各ソケット２２は、磁石３０上の接面部材３６と係合するため及びあらかじめ決められた配向に磁石３０を保持するための配向部材２６を備えることもできる。図７Ａ乃至図７Ｅに示された実施形態は、０から４までこの議論の便利のために番号が付された、配向部材２６に対する５つの異なる可能な配置を提供する。図７Ａ乃至図７Ｅの各場合において、配向部材２６は、別の球状磁石３０上の平らな部分と接合するソケット２２の別のくぼんだ内面の平らな部分として示される。しかしながら、配向部材２６は、小さな柱、突出部、あるいは、磁石３０上の小さなくぼみ又は他の適合キー構造と接合する他のキー構造にすることができる。配向部材２６は、矩形磁石３０を受け入れるように形状付けられた矩形である収容ゾーン又は凹部２２の細長い軸線、その本体の薄い間隙を有する環状又はドーナツ形状の磁石を受け入れるためのドーナツ形状凹部の壁又は切欠きなど、磁石３０の形状それ自体の結果物を代りにすることができる。従って、配向部材２６の目的は、そのような実施形態において、磁力線３２がひとたびソケット２２に配置されると特定の予め決められた配向で同様に維持されるように、磁石３０が特定の予め決められた配向でソケット２２内に保持されるのを確実にすることである。
【００１２】
磁石３０は、すべて、形状及び強度を同じにすることができ、あるいは、異なる形状及び強度を備えることができる。図１乃至図７Ｅに示された実施形態は、一つの平らな縁部を有する球状である磁石３０を備えるが、矩形な、平らな、円柱状のなどを含むあらゆる数の他の形状にすることができる。球状磁石を使用する一つの利益は、磁力線及び配向面が互いに対してあらゆる角度に容易に配向されることである。磁石のあらゆる他の形状の利益は、平らな又は薄い磁石に対するクリアランス関係、矩形又は六角形磁石に対する厳密なパッキン機会など、明らかである。
【００１３】
その長さに沿った三つのソケットを有するアーム２０を示す図１の実施形態と組み合わせると、配向部材２６のためのこれらの５つの可能な配置は、７５の摂動、すなわち、別の組み合わせの単なる鏡像であるこれらの組み合わせを排除できる０−０−０乃至４−４−４を生じることができる。
【００１４】
【表１】
2014528815.tif 000003
【００１５】
スポークが正方形の対角線に沿って横たわる二つのアームのハブアンドスポーク配置に対し、これらの摂動は、７５０の可能な組み合わせを生じるように結合する。スポークが六角形の対角線に沿って横たわる三つのアームのハブアンドスポーク配置は、７５００の可能な組み合わせに結合する。
【００１６】
また、本発明の別の実施形態は、図７Ａ乃至図７Ｂに示された鎖のようなループ又はリング配置において互いに結合された３つ以上のそのようなアーム２０の配置を包囲する。ハブアンドスポーク配置と同様に、摂動の数は、急速に増える。図２、４及び６に示された３つのソケットアーム２０がある単一な三角形状の配置に対し、各々は、図３Ａ乃至図３Ｅに示された配向の一つを有し、３７５０の異なる可能な配置を生じるように組み合わされると思われる。４つのアーム２０が正方形の周囲に沿って横たわる正方形のリング配置は、３７５００の可能な異なる組み合わせを生じるように結合し、そして、周辺部の周りの４つのアーム２０と、ダイヤモンド形状の二つの対向するコーナーを接合する５つのアーム２０とを有するダイヤモンド形状の配置は、１８７５００の可能な異なる組み合わせを生じるように結合する。図１０に示された格子状の配置は、４０００００以上の可能な組み合わせを生じるために相互連結された６つのアーム２０を備える。
【００１７】
この大きな多様性は、たった一つの特別に単純なアーム２０の配置を生じる。すなわち、アーム２０は、図７Ａ乃至図７Ｅに示されたソケット２２内の５つの基準となる直角の配置から選択された配向表面２６を各々が示す３つのソケット２２を有する。この配置は、アッセンブリが大規模に自動化されるように、あらゆるあらかじめ決められた配向の第１、第２及び第３のソケットを有する一連のアーム２０を生じるために、ダイカスト又は射出成形装置をプログラムすることを促す。例えば、織物ブランケットは、各々のデバイス１０が、１０×６の配列において、１−０−３の配向部材２６のパターンを有する第１アーム２０と図１に示された２−０−４の配向部材２６のパターンを有する第２アーム２０の二つのアーム２０を有する、６０のそのような磁気治療デバイス１０を必要とした。射出成形機械は、下流側の組み立て条件に依存して、６０の１−０−３のアーム及び６０の２−０−４のアーム又は６０の１−０−３のアーム／２−０−４のアームのペアのいずれかを生じることができる。
【００１８】
さらに、アーム２０は、図１及び図２に示された３つのソケットアーム２０に限定される必要はなく、配向部材２６は、図３Ａ乃至図３Ｅに示された比較的簡単な５つの直角配向に限定される必要はない。本発明は、より多くのソケット、非線形アーム、アレイなどを含む、多くの数の選択的なアーム部材を等しく想定する。ソケット自体は、凹部、オリフィス、へこみ、ポケットなどを代りにすることができ、スナップ、ベルト、留め金、フランジ、隆起部、内方に向いた戻り止め又は指部などの保持表面になるときに及び塊、柱、ガイドワイヤなどの配向部材になるときに、非常に多くの選択肢を有する。配向部材２６は、磁石収容ゾーンを５つの代りに１３の領域に分割することを含む、非常に多くの数の可能な配置で配置されることができる。磁石３０自体は、様々な配向にあるいは接合特徴部３６を中心に又は接合特徴部３６の周りに一様にランダムにその代りに磁化される。
【００１９】
従って、本発明のいくつかの実施形態の一つの目的は、迅速で使いやすく強いアームの組み合わせ、コネクタ、及び、一つ以上の保持表面を有する及び一つ以上の磁石配向表面又は部材を選択的に有する収容ゾーンを生じる相互接続する基礎ユニットのシステムを有することである。その結果物は、非常に多くの基礎ユニットを生じることができるプログラム可能なシステム、すなわち、他のそのような基礎ユニットと組み合わされたときに適用表面にある予め決められかつ比較的複雑な磁力線３２のパターンを有する非常に多くの磁気治療デバイス１０を迅速に生じる一つ以上の磁石３０を保持するアーム２０の組み合わせである。
【００２０】
そのような目的は、それらのアーム２０などの基礎ユニットが、予め決められた配向でここの磁石３０を保持することができると共に、使用者の体に適用するために配向及び強度と深さの両方に関して、十分に異なる磁力線３２の表面パターンを提供するために予め決められた配向で個々の磁石３０を保持する他のアーム２０と互いに取り付けることができる柔軟性の程度である。代替的に、いくつかの実施形態は、使用者の体に適用するために十分に異なる多くの磁力線３２の表面を提供する、全体的に又は卓越したランダムな磁性配向で磁石３０を保持するアーム２０を取り囲む。
【００２１】
いくつかの実施形態では、本発明の磁性配向は、また、使用者の体に適用するために十分に異なる磁力線３２の表面パターンを提供するために予め決められた配向で一つ以上の個々の磁石３０を各アーム２０が把持して、（図１、３、５及び８に示されたスポークのような又は雪片のようなパターンを形成するために）それらの中心又は中間部分で、あるいは、（図９に示された鎖のようなパターンを形成するために）それらの両端部で、互いに押圧されることができるあるいはそうでない場合には接続されることができる二つ以上のアームを備え、製造者は、磁力線３２の代替的な配置がより良いことを調査して提案すべき複数の同じ基礎ユニット（アーム２０）を使用して磁力線の表面パターンを（生産の次のバッチで）容易に変更できる。
【００２２】
付加的に、アーム２０は、図１及び図６に示されたようにそれらの中間部分において曲げられる。これは、適用表面で使用者に平らであると感じるようにデバイスの前面のおおむね波状部を低減するのに役立つ。アーム２０は、特に中間部分において、堅くされることができる。しかしながら、適用表面が、使用者が彼又は彼女自身の体重又はたの力によって適用表面を曲げるように押すときに曲がることができるように、アーム２０は、代わりに可撓性にすることができる。従って、可撓性のアームを使用する効果は、磁力線を使用者の体の対象領域にできるだけ近づけたままにすることである。別の有益な効果は、使用者の体の対象領域が、時間の経過につれて磁力線の動的な変更設定に直面するように、磁力線が使用中に動的に移動されることができ、適用表面に沿った隣接する磁石の磁力線と相互作用することができることである。
【００２３】
本発明は、特定の実施形態に関して説明されているが、本発明の付加的な変更が発明概念から逸脱しないで創造されることを理解されるであろう。
【図１】
2014528815.tif 000004
【図２】
2014528815.tif 000005
【図３】
2014528815.tif 000006
【図４】
2014528815.tif 000007
【図５】
2014528815.tif 000008
【図６】
2014528815.tif 000009
【図７Ａ】
2014528815.tif 000010
【図７Ｂ】
2014528815.tif 000011
【図７Ｃ】
2014528815.tif 000012
【図７Ｄ】
2014528815.tif 000013
【図７Ｅ】
2014528815.tif 000014
【図８】
2014528815.tif 000015
【図９】
2014528815.tif 000016
【図１０】
2014528815.tif 000017
【国際調査報告】
2014528815.tif 000018